(57)【特許請求の範囲】
【請求項１】
物体側より像側へ順に、正の屈折力の第１レンズ群、負の屈折力の第２レンズ群、正の屈折力の第３レンズ群、１以上のレンズ群を含む後群を有し、前記第１レンズ群、前記第２レンズ群及び前記第３レンズ群は、広角端に比べ望遠端において物体側に位置し、ズーミングに際して隣り合うレンズ群の間隔が変化するズームレンズにおいて、
前記第１レンズ群は正レンズと負レンズからなり、前記第３レンズ群は正レンズを有し、
広角端から望遠端までのズーミングにおける前記第１レンズ群、前記第２レンズ群、前記第３レンズ群の移動量をそれぞれＭ１、Ｍ２、Ｍ３、広角端における全系の焦点距離をｆｗとするとき、
０．５＜Ｍ２／ｆｗ＜５．０
０．１＜Ｍ１／Ｍ３＜１．０ 
なる条件式を満足し、前記第３レンズ群を構成する正レンズの材料の屈折率およびアッベ数をそれぞれＮｄ３ｐ、νｄ３ｐとして、前記第３レンズ群を構成する少なくとも１つの正レンズは、
１．５５３≦Ｎｄ３ｐ＜２．５０
４５．０＜νｄ３ｐ＜７２．０
なる条件式を満足するレンズであることを特徴とするズームレンズ。
【請求項２】
前記第１レンズ群を構成する負レンズの材料の屈折率およびアッベ数をそれぞれ、Ｎｄ１ｎ、νｄ１ｎとするとき、
１．８５＜Ｎｄ１ｎ＜２．５０
５．０＜νｄ１ｎ＜２１．０
なる条件式を満足することを特徴とする請求項１に記載のズームレンズ。
【請求項３】
前記第１レンズ群を構成する負レンズと正レンズの材料のアッベ数を各々νｄ１ｎ、νｄ１ｐとするとき、
１５．０＜νｄ１ｐ−νｄ１ｎ＜４０．０
なる条件式を満足することを特徴とする請求項１または２に記載のズームレンズ。
【請求項４】
前記後群の中で最も像側に配置されたレンズ群はフォーカシングに際して移動するフォーカスレンズ群であり、広角端と望遠端における前記フォーカスレンズ群の横倍率をそれぞれβｆｗ、βｆｔとするとき、
０．７＜βｆｔ／βｆｗ＜１．３
なる条件式を満足することを特徴とする請求項１乃至３のいずれか１項に記載のズームレンズ。
【請求項５】
前記第３レンズ群の広角端と望遠端における横倍率をそれぞれβ３ｗ、β３ｔとするとき、
２．０＜β３ｔ／β３ｗ＜１０．０
なる条件式を満足することを特徴とする請求項１乃至４のいずれか１項に記載のズームレンズ。
【請求項６】
前記第３レンズ群は１枚の負レンズを有し、前記第３レンズ群を構成する正レンズの中で、光軸方向の厚さが最も大きい正レンズの厚さをＤ３ｐ、前記第３レンズ群を構成する負レンズの厚さをＤ３ｎとするとき、
２．０＜Ｄ３ｐ／Ｄ３ｎ＜８．０
なる条件式を満足することを特徴とする請求項１乃至５のいずれか１項に記載のズームレンズ。
【請求項７】
前記第１レンズ群を構成する正レンズの焦点距離をｆ１ｐ、前記第１レンズ群の焦点距離をｆ１とするとき、
０．２＜ｆ１ｐ／ｆ１＜１．０
なる条件式を満足することを特徴とする請求項１乃至６のいずれか１項に記載のズームレンズ。
【請求項８】
前記第２レンズ群は、物体側より像側へ順に、負レンズ、負レンズ、正レンズよりなることを特徴とする請求項１乃至７のいずれか１項に記載のズームレンズ。
【請求項９】
前記第３レンズ群は、物体側より像側へ順に、正レンズ、負レンズよりなることを特徴とする請求項１乃至８のいずれか１項に記載のズームレンズ。
【請求項１０】
前記後群は正の屈折力の第４レンズ群からなり、前記第４レンズ群はズーミングに際して移動することを特徴とする請求項１乃至９のいずれか１項のズームレンズ。
【請求項１１】
前記後群は、物体側から像側へ順に、負の屈折力の第４レンズ群、正の屈折力の第５レンズ群からなり、前記第４レンズ群と前記第５レンズ群はズーミングに際して移動することを特徴とする請求項１乃至９のいずれか１項のズームレンズ。
【請求項１２】
固体撮像素子に像を形成することを特徴とする請求項１乃至１１のいずれか１項に記載のズームレンズ。
【請求項１３】
請求項１乃至１２のいずれか１項に記載のズームレンズと、該ズームレンズによって形成される像を受光する固体撮像素子とを有することを特徴とする撮像装置。
【発明の詳細な説明】
【技術分野】
【０００１】
本発明はズームレンズに関するものであり、特にデジタルスチルカメラ、ビデオカメラ、監視カメラ、放送用カメラ、銀塩写真用カメラ等の撮像装置に用いる撮影レンズとして好適なものである。
【背景技術】
【０００２】
近年、固体撮像素子を用いたビデオカメラ、デジタルスチルカメラ、ＴＶカメラ、そして銀塩フィルムを用いたカメラ等の撮像装置は高機能化され、かつ装置全体が小型化されている。そして、それらに用いる撮影レンズとしては、レンズ全長が短く、小型で広画角、高ズーム比のズームレンズであること等が要求されている。これらの要求に応えるズームレンズとして、物体側より像側へ順に正、負、正の屈折力を有する第１、第２、第３レンズ群と、それに続く１つ以上のレンズ群を含む後群を有するポジティブリード型のズームレンズが知られている。
【０００３】
ポジティブリード型のズームレンズとして、物体側より像側へ順に正、負、正、正の屈折力の第１乃至第４レンズ群の４つのレンズ群より成り、ズーミングに際して全てのレンズ群が移動する４群ズームレンズが知られている。この４群ズームレンズにおいて第１レンズ群を負レンズと正レンズの２つのレンズより構成したズーム比４〜１０程度の小型のズームレンズが知られている（特許文献１、２）。また、ポジティブリード型のズームレンズとして物体側より像側へ順に正、負、正、負、正の屈折力の第１乃至第５レンズ群の５つのレンズ群より成る５群ズームレンズが知られている（特許文献３）。
【先行技術文献】
【特許文献】
【０００４】
【特許文献１】特開２０１０−００２６８４号公報
【特許文献２】特開２００８−１０２１６６号公報
【特許文献３】特開２００２−６２４７８号公報
【発明の概要】
【発明が解決しようとする課題】
【０００５】
従来、多くのカメラでは非撮影時にカメラを薄型化するために、鏡筒（レンズ鏡筒）を数段に分けてズームレンズを構成する各レンズ群を光軸方向に畳んで収納する、所謂沈胴方式が多く用いられている。この沈胴方式において、カメラの薄型化を効果的に行うには、ズームレンズを構成する各レンズ群の屈折力を強めつつ、各レンズ群を構成するレンズ枚数を削減し、レンズ群の厚さを小さくすれば良い。
【０００６】
しかしながら、このようにしたズームレンズは、各レンズ面の屈折力が増加し、それに伴いレンズコバ厚を確保するためにレンズ肉厚が増してしまい、特に前玉径（前玉有効径）が増大し、レンズの削減による小型化が困難になる。また、同時に望遠端において色収差などの諸収差の発生が多くなり、これらの補正が困難になってくる。
【０００７】
前述した４群ズームレンズや５群ズームレンズにおいて、高ズーム比とレンズ系全体の小型化を図りつつ、良好な光学性能を得るには各レンズ群のレンズ構成、そして各レンズ群のズーミングに伴う移動条件などを適切に設定することが重要となる。特に第１乃至第３レンズ群のズーミングに際しての移動量を適切に設定することが重要になってくる。
【０００８】
特許文献１のズームレンズでは、構成レンズ枚数を少なくし、ズームレンズの沈胴時の薄型化にも有利なレンズ構成を開示している。しかしながら、ズーミングに際して第３レンズ群に比べ第１レンズ群の移動量が大きく、望遠端におけるレンズ全長が増大する傾向がある。また、第１レンズ群の移動量の増大に伴い沈胴時にカメラを薄型化をする際の沈胴段数が増え、レンズ鏡筒の構成が複雑化してくる。また、径方向に大型化する傾向がある。
【０００９】
特許文献２のズームレンズでは、第１レンズ群の移動量を抑え、望遠端におけるレンズ全長の短縮化を図りつつ、ズーム比１０倍程度のズームレンズ開示している。しかしながら、ズーミングに際しての第２レンズ群の移動量と広角端における焦点距離の比が原因となって、沈胴した際にカメラの薄型化が難しい。また、第１レンズ群の屈折力の増加に伴い、望遠端において軸上色収差、倍率色収差等が多く発生し、これらの補正が困難になる傾向がある。
【００１０】
本発明は、沈胴時の光軸方向の長さが薄く、広画角かつ高ズーム比で、しかも全ズーム範囲にわたり高い光学性能が得られるズームレンズ及びそれを有する撮像装置の提供を目的とする。
【課題を解決するための手段】
【００１１】
本発明のズームレンズは、物体側より像側へ順に、正の屈折力の第１レンズ群、負の屈折力の第２レンズ群、正の屈折力の第３レンズ群、１以上のレンズ群を含む後群を有し、前記第１レンズ群、前記第２レンズ群及び前記第３レンズ群は、広角端に比べ望遠端において物体側に位置し、ズーミングに際して隣り合うレンズ群の間隔が変化するズームレンズにおいて、
前記第１レンズ群は正レンズと負レンズからなり、前記第３レンズ群は正レンズを有し、
広角端から望遠端までのズーミングにおける前記第１レンズ群、前記第２レンズ群、前記第３レンズ群の移動量をそれぞれＭ１、Ｍ２、Ｍ３、広角端における全系の焦点距離をｆｗとするとき、
０．５＜Ｍ２／ｆｗ＜５．０
０．１＜Ｍ１／Ｍ３＜１．０ 
なる条件式を満足し、前記第３レンズ群を構成する正レンズの材料の屈折率およびアッベ数をそれぞれＮｄ３ｐ、νｄ３ｐとして、前記第３レンズ群を構成する少なくとも１つの正レンズは、
１．５５３≦Ｎｄ３ｐ＜２．５０
４５．０＜νｄ３ｐ＜７２．０
なる条件式を満足するレンズであることを特徴としている。
【発明の効果】
【００１２】
本発明によれば、沈胴時の光軸方向の長さが薄く、広画角かつ高ズーム比で、しかも全ズーム範囲にわたり高い光学性能が得られるズームレンズが得られる。
【図面の簡単な説明】
【００１３】
【図１】本発明の実施例１の広角端におけるレンズ断面図
【図２】（Ａ）、（Ｂ）、（Ｃ）  本発明の実施例１に対応する数値実施例１の広角端、中間のズーム位置、望遠端における収差図
【図３】本発明の実施例２の広角端におけるレンズ断面図
【図４】（Ａ）、（Ｂ）、（Ｃ）  本発明の実施例２に対応する数値実施例１の広角端、中間のズーム位置、望遠端における収差図
【図５】本発明の実施例３の広角端におけるレンズ断面図
【図６】（Ａ）、（Ｂ）、（Ｃ）  本発明の実施例３に対応する数値実施例１の広角端、中間のズーム位置、望遠端における収差図
【図７】本発明の実施例４の広角端におけるレンズ断面図
【図８】（Ａ）、（Ｂ）、（Ｃ）  本発明の実施例４に対応する数値実施例１の広角端、中間のズーム位置、望遠端における収差図
【図９】本発明の実施例５の広角端におけるレンズ断面図
【図１０】（Ａ）、（Ｂ）、（Ｃ）  本発明の実施例５に対応する数値実施例１の広角端、中間のズーム位置、望遠端における収差図
【図１１】本発明の実施例６の広角端におけるレンズ断面図
【図１２】（Ａ）、（Ｂ）、（Ｃ）  本発明の実施例６に対応する数値実施例１の広角端、中間のズーム位置、望遠端における収差図
【図１３】本発明の撮像装置の要部概略図
【発明を実施するための形態】
【００１４】
本発明のズームレンズは、物体側より像側へ順に、正の屈折力の第１レンズ群、負の屈折力の第２レンズ群、正の屈折力の第３レンズ群、１以上のレンズ群を含む後群を有している。第１レンズ群、第２レンズ群、第３レンズ群は広角端に比べ、望遠端において物体側に位置し、ズーミングに際して隣り合うレンズ群の間隔が変化する。
【００１５】
図１は本発明の実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。図３は本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。
【００１６】
図５は本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。図７は本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。
【００１７】
図９は本発明の実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。図１１は本発明の実施例６のズームレンズの広角端におけるレンズ断面図である。図１２（Ａ）、（Ｂ）、（Ｃ）はそれぞれ実施例６のズームレンズの広角端、中間のズーム位置、望遠端における収差図である。
【００１８】
図１３は本発明のズームレンズを備えるカメラ（撮像装置）の要部概略図である、各実施例のズームレンズはビデオカメラ、デジタルカメラ、ＴＶカメラ、監視用カメラ、そして銀塩フィルムカメラ等の撮像装置に用いられる撮影レンズ系である。レンズ断面図において、左方が被写体側（物体側）（前方）で、右方が像側（後方）である。レンズ断面図において、ｉは物体側からのレンズ群の順番を示し、Ｌｉは第ｉレンズ群である。ＬＲは１以上のレンズ群を有する後群である。
【００１９】
実施例１〜５のレンズ断面図において、Ｌ１は正の屈折力の第１レンズ群、Ｌ２は負の屈折力の第２レンズ群、Ｌ３は正の屈折力の第３レンズ群、Ｌ４は正の屈折力の第４レンズ群である。実施例１〜５は４群ズームレンズである。
【００２０】
実施例６のレンズ断面図においてＬ１は正の屈折力の第１レンズ群、Ｌ２は負の屈折力の第２レンズ群、Ｌ３は正の屈折力の第３レンズ群、Ｌ４は負の屈折力の第４レンズ群、L5は正の屈折力の第５レンズ群である。実施例６は５群ズームレンズである。実施例１乃至５では後群ＬＲは１つのレンズ群よりなり、実施例６では２つのレンズ群よりなっている。
【００２１】
レンズ断面図において、ＳＰは開口絞りであり、第３レンズ群Ｌ３のレンズ中に配置している。または開口絞りＳＰは光軸方向に関して、第３レンズ群Ｌ３の最も物体側のレンズＧ３１の物体側頂点Ｇ３１ａとレンズＧ３１の物体側の面と外周部（コバ部）との交点との間に配置されている。レンズ断面図においてＦＰはフレアー絞り（フレアカット絞り）であり、第３レンズ群Ｌ３の像側に配置しており、不要光（フレアー）を遮光している。ＦＰａは固定絞りであり、第３レンズ群Ｌ３中に配置されている。
【００２２】
Ｇは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の像面に、銀塩フィルム用カメラのときはフィルム面に相当する感光面が置かれる。
【００２３】
収差図のうち球面収差において、実線と２点鎖線は各々ｄ線及びｇ線、非点収差図においてΔＭ（点線），ΔＳ（実線）はメリディオナル像面，サジタル像面である。倍率色収差はｇ線によって表している。ωは半画角（撮影画角の半分の値）（度）、ＦｎｏはＦナンバーである。尚、以下の各実施例において広角端と望遠端は変倍用レンズ群が機構上光軸上を移動可能な範囲の両端に位置したときのズーム位置をいう。
【００２４】
各実施例では、広角端から望遠端へのズーミングに際して矢印のように各レンズ群を移動させている。具体的には、実施例１乃至５では広角端から望遠端へのズーミングに際して矢印のように第１レンズ群Ｌ１を像側へ凸状の軌跡を描いて移動させている。第２レンズ群Ｌ２を像側へ凸状の軌跡を描いて移動させている。第３レンズ群Ｌ３を物体側へ移動させている。第４レンズ群Ｌ４は物体側へ凸状の軌跡を描いて移動させている。
【００２５】
実施例６では広角端から望遠端へのズーミングに際して矢印のように第１レンズ群Ｌ１を像側へ凸状の軌跡を描いて移動させている。第２レンズ群Ｌ２を像側へ凸状の軌跡を描いて移動させている。第３レンズ群Ｌ３を物体側へ移動させている。第４レンズ群Ｌ４は物体側へ移動させている。また第５レンズ群Ｌ５は物体側へ凸状の軌跡を描いて移動させている。
【００２６】
各実施例では、ズーミングに際し、広角端に比べて望遠端において第１レンズ群Ｌ１と第３レンズ群Ｌ３がいずれも物体側に位置する様に移動させている。これにより広角端におけるレンズ全長（第１レンズ面から像面までの長さ）を短くし、前玉（第１レンズ群Ｌ１）の小型化を図りつつ、高いズーム比（変倍比）が得られるようにしている。
【００２７】
特に、各実施例では、ズーミングに際して第３レンズ群Ｌ３を物体側に移動させることにより、第３レンズ群Ｌ３に変倍機能を持たせて、第１レンズ群Ｌ１、第２レンズ群Ｌ２の屈折力をあまり大きくすることなく高ズーム比を容易に得ている。また、最も像側のレンズ群をフォーカスレンズ群としている。実施例１乃至５においては第４レンズ群Ｌ４を、実施例６においては第５レンズ群Ｌ５をフォーカスレンズ群とし、光軸上移動させてフォーカシングを行うリヤーフォーカス式を採用している。
【００２８】
望遠端において無限遠物体から近距離物体へフォーカスを行う場合には実施例１乃至５では、レンズ断面図の矢印４ｃに示すように第４レンズ群L４を前方に繰り出すことによって行っている。またレンズ断面図における第４レンズ群Ｌ４に関する実線の曲線４ａと点線の曲線４ｂは各々無限遠物体と近距離物体にフォーカスしているときの広角端から望遠端へのズーミングに伴う際の像面変動を補正するための移動軌跡を示している。
【００２９】
実施例６ではレンズ断面の矢印５ｃに示すように第５レンズ群L５を前方に繰り出すことによって行っている。またレンズ断面図における第５レンズ群Ｌ５に関する実線の曲線５ａと点線の曲線５ｂは各々無限遠物体と近距離物体にフォーカスしているときの広角端から望遠端へのズーミングに伴う際の像面変動を補正するための移動軌跡を示している。但し、実施例６において負の屈折力の第４レンズ群L４でフォーカシングを行っても良い。
【００３０】
このとき、第４レンズ群Ｌ４の移動軌跡は実施例１乃至５と比べると次のとおりである。望遠端において無限遠物体から近距離物体へフォーカスを行う場合、第４レンズ群Ｌ４は矢印４ｃと逆の像側へ移動する。また第４レンズ群Ｌ４の無限遠物体と近距離物体にフォーカスしている場合の移動軌跡は４ｂ、４ａとなり、実施例１乃至５の場合と逆となる。
【００３１】
各実施例では、ズーミング（変倍）に際し、広角端に比べて望遠端において第１、第２，第３レンズ群Ｌ１、Ｌ２、Ｌ３がいずれも物体側に位置する様に移動させている。これにより、前玉径（第１レンズ群の有効径）の小型化を図りつつ、高いズーム比が得られるようにしている。また、第１レンズ群を正レンズと負レンズの２枚で構成することにより、前玉径を縮小し、カメラを小型化しつつ、ズーム全域における軸上・倍率色収差を良好に補正している。
【００３２】
特に、広角端から望遠端へズーミングする際の各レンズ群の移動量を適切に設定することにより、沈胴鏡筒のスペースを効率よく使い、高ズーム比化と沈胴時におけるカメラの薄型化・小型化を図っている。
【００３３】
各実施例において、広角端から望遠端までのズーミングにおける第１レンズ群Ｌ１、第２レンズ群Ｌ２、第３レンズ群Ｌ３の移動量（広角端と望遠端におけるレンズ群の位置の差）をそれぞれＭ１、Ｍ２、Ｍ３とする。但し、移動量の符号は物体側への移動する場合を正とする。広角端における全系の焦点距離をｆｗとする。このとき、
０．５＜Ｍ２／ｆｗ＜５．０    ・・・（１）
０．１＜Ｍ１／Ｍ３＜１．０    ・・・（２）
なる条件式を満足している。
【００３４】
条件式（１）は沈胴時におけるレンズ鏡筒の薄型化および、広画角化かつ高ズーム比化するために、広角端における全系の焦点距離ｆｗと広角端から望遠端へのズーミングの際の第２レンズ群Ｌ２の移動量を適切に定めた条件式である。条件式（１）の下限値を超えて、第２レンズ群Ｌ２の移動量が広角端における全系の焦点距離ｆｗよりも小さくなると、広画角かつ高ズーム比化をしようとすると第２レンズ群Ｌ２のパワー（以下、焦点距離の逆数と定義する。）を強めなければならない。この結果、主に広角端付近において像面湾曲、倍率色収差の補正が困難になる。
【００３５】
条件式（１）の上限値を超えて、第２レンズ群Ｌ２の移動量が広角端における全系の焦点距離ｆｗよりも大きくなると、沈胴時に第２レンズ群Ｌ２の移動量が制約になり、カメラの薄型化が困難になる。
【００３６】
条件式（２）は沈胴時におけるレンズ鏡筒の薄型化および前玉径の小型化のために、広角端から望遠端へのズーミングの際の第１レンズ群Ｌ１と第３レンズ群Ｌ３の移動量を適切に定めた条件式である。条件式（２）の下限値を超えると、第３レンズ群Ｌ３の移動量を確保する為に、広角端において第２レンズ群Ｌ２と第３レンズ群Ｌ３の間隔を広げる必要がある。その結果、広角端において第３レンズ群Ｌ３に入射する光束径が広がり、広角端においてコマ収差および倍率色収差を補正することが困難になる。さらに第３レンズ群Ｌ３の有効径が増大し、レンズ鏡筒の小型化が困難になる。
【００３７】
また、第１レンズ群Ｌ１の移動量が小さくなりすぎてしまい、第１レンズ群Ｌ１による変倍効果が小さくなるため、高ズーム比化が困難となる。また、高ズーム比化しようとすると第１レンズ群Ｌ１のパワーが強くなり、製造上、レンズコバの確保のために第１レンズ群の厚みが大きくなり、それにつれ前玉径も大きくなりカメラのコンパクト化が困難になる。
【００３８】
条件式（２）の上限値を超えると、第１レンズ群Ｌ１の移動量が大きくなりすぎてしまい、光学全長（第１レンズ面から最終レンズ面までの長さ）を抑制しつつ高ズーム比化することが困難となる。また、第３レンズ群Ｌ３の移動量が小さくなりすぎてしまい、高ズーム比化するためには、第３レンズ群Ｌ３の屈折力を強くする必要がある。その結果、ズーム全域におけるコマ収差および像面湾曲を良好に補正することが困難となる。尚、更に好ましくは条件式（１）、（２）の数値範囲を次の如く設定するのが良い。
【００３９】
０．５＜Ｍ２／ｆｗ＜４．０      ・・・（１ａ） 
０．３０＜Ｍ１／Ｍ３＜０．９９  ・・・（２ａ） 
更に好ましくは条件式（１ａ）、（２ａ）の数値範囲を次の如く設定するのが良い。
【００４０】
０．５＜Ｍ２／ｆｗ＜３．５      ・・・（１ｂ） 
０．４０＜Ｍ１／Ｍ３＜０．９９  ・・・（２ｂ） 
以上の如く構成することにより、広画角かつ高ズーム比でズーム全域にわたり高い光学性能を有した薄型・コンパクトなズームレンズを得ることができる。
【００４１】
本発明において、好ましくは第３レンズ群Ｌ３は正レンズを有し、第３レンズ群Ｌ３を構成する正レンズの材料の屈折率およびアッベ数をそれぞれＮｄ３ｐ、νｄ３ｐとする。このとき第３レンズ群Ｌ３を構成する少なくとも１つの正レンズは次の条件式（５）、（６）を満足するのが良い。この他、第１レンズ群Ｌ１を構成する負レンズの材料の屈折率およびアッベ数をそれぞれ、Ｎｄ１ｎ、νｄ１ｎとする。第１レンズ群Ｌ１を構成する正レンズの材料のアッベ数をνｄ１ｐとする。ズームレンズの後群ＬＲの中で最も像側に配置されたレンズ群はフォーカシングに際して移動するフォーカスレンズ群であり、広角端と望遠端におけるフォーカスレンズ群の横倍率をそれぞれβｆｗ、βｆｔとする。
【００４２】
第３レンズ群Ｌ３の広角端と望遠端における横倍率をそれぞれβ３ｗ、β３ｔとする。第３レンズ群Ｌ３は負レンズを有する。第３レンズ群Ｌ３を構成する正レンズの中で光軸方向の厚さが最も大きい正レンズの厚さをＤ３ｐ、第３レンズ群Ｌ３を構成する負レンズの厚さをＤ３ｎとする。第１レンズ群Ｌ１を構成する正レンズの焦点距離をｆ１ｐ、第１レンズ群Ｌ１の焦点距離をｆ１とする。このとき、以下の条件式（３）、（４）、（７）乃至（１１）のうち１以上を満足するのが良い。
【００４３】
１．８５＜Ｎｄ１ｎ＜２．５０              ・・・（３）
５．０＜νｄ１ｎ＜２１．０                ・・・（４）
１．５５３≦Ｎｄ３ｐ＜２．５０            ・・・（５）
４５．０＜νｄ３ｐ＜７２．０              ・・・（６）
１５．０＜νｄ１ｐ−νｄ１ｎ＜４０．０    ・・・（７）
０．７＜βｆｔ／βｆｗ＜１．３            ・・・（８）
２．０＜β３ｔ／β３ｗ＜１０．０          ・・・（９）
２．０＜Ｄ３ｐ／Ｄ３ｎ＜８．０            ・・・（１０）
０．２＜ｆ１ｐ／ｆ１＜１．０              ・・・（１１）
条件式（３）、（４）は全系を小型、薄型化しつつ、高ズーム比化するために、第１レンズ群Ｌ１を構成する負レンズの材料の屈折率Ｎｄ１ｎおよび、アッベ数νｄ１ｎを適切に定めたものである。
【００４４】
条件式（３）の下限を超えて第１レンズ群Ｌ１を構成する負レンズの材料の屈折率Ｎｄ１ｎが小さくなると前玉径が大型化するため良くない。条件式（３）の上限を超えて第１レンズ群Ｌ１を構成する負レンズの材料の屈折率Ｎｄ１ｎが大きくなるとまた、正の屈折力の第１レンズ群Ｌ１のペッツバール和（レンズ群内のレンズの焦点距離×屈折率の逆数の総和）が正の方向に大きくなる。このため、像面湾曲の補正が困難となる。また、ズーム全域における色収差の補正が困難になる。
【００４５】
条件式（４）の下限を超えて第１レンズ群Ｌ１を構成する負レンズの材料のアッベ数νｄ１ｎが小さくなると望遠端付近において軸上色収差を打ち消すためには、一般に第１レンズ群Ｌ１中の正レンズの材料の屈折率が大きい硝材になる。そうすると、正の屈折力の第１レンズ群Ｌ１のペッツバール和が小さくなりすぎてしまい、像面湾曲の補正が困難になる。
【００４６】
条件式（４）の上限を超えて第１レンズ群Ｌ１を構成する負レンズの材料のアッベ数νｄ１ｎが大きくなると望遠端付近において軸上色収差を打ち消すためには、一般に第１レンズ群Ｌ１中の正レンズの材料の屈折率の小さい硝材になる。そうすると、正レンズのレンズコバ厚を確保するためには肉厚を大きくしなければならず、それにつれ、有効径も増大化するため、小型化が困難になる。
【００４７】
条件式（５）、（６）は全系を小型、薄型化しつつ、高ズーム比化するために、第３レンズ群Ｌ３を構成する正レンズの材料の屈折率Ｎｄ３ｐおよび、アッベ数νｄ３ｐを適切に定めたものである。条件式（５）の下限を超えて第３レンズ群Ｌ３を構成する正レンズの材料の屈折率Ｎｄ３ｐが小さくなるとレンズコバ厚を確保するために、肉厚を大きくしなければならず、第３レンズ群Ｌ３が厚くなり、薄型化が困難になる。また、レンズ面の曲率が大きくなるため、主に望遠端付近において球面収差の補正が困難になる。
【００４８】
条件式（５）の上限を超えて第３レンズ群Ｌ３を構成する正レンズの材料の屈折率Ｎｄ３ｐが大きくなるとまた、正の屈折力の第３レンズ群Ｌ３のペッツバール和が小さくなりすぎてしまうため、像面湾曲の補正が困難となる。また、ズーム全域における色収差の補正が困難になる。
【００４９】
条件式（６）の下限を超えて第３レンズ群Ｌ３を構成する正レンズの材料のアッベ数νｄ３ｐが小さくなると主に望遠端付近において軸上色収差の補正が困難になる。条件式（６）の上限を超えて第３レンズ群Ｌ３を構成する正レンズの材料のアッベ数νｄ３ｐが大きくなると一般に屈折率の小さい硝材になり、レンズコバ厚を確保するために、肉厚を大きくしなければならず、第３レンズ群Ｌ３が厚くなり、薄型化が困難になる。
【００５０】
また、レンズ面の曲率が大きくなるため、主に望遠端付近において球面収差の補正が困難になる。さらに、一般に望遠端付近において軸上色収差、色の球面収差を打ち消すためには第３レンズ群Ｌ３中の負レンズの材料はアッベ数の小さい硝材になり、少ないレンズ枚数で第３レンズ群Ｌ３を構成しようとした場合には色消しが困難になる。
【００５１】
条件式（７）は全系を小型、薄型化しつつ、高ズーム比化するために、第１レンズ群Ｌ１を構成する正レンズの材料のアッベ数νｄ１ｐおよび負レンズの材料のアッベ数νｄ１ｎを適切に定めたものである。
【００５２】
条件式（７）の下限を超えて第１レンズ群Ｌ１を構成する正レンズの材料のアッベ数νｄ１ｐと負レンズの材料のアッベ数νｄ１ｎとの差が小さくなると一般に望遠端付近において軸上色収差を消すことが困難になる。また、正レンズおよび負レンズのレンズ面の曲率が大きくなるため、正レンズのコバ厚の確保のため、レンズの肉厚が大きくなり、前玉径も増大化し、小型化が困難になる。
【００５３】
条件式（７）の上限を超えて第１レンズ群Ｌ１を構成する正レンズの材料のアッベ数νｄ１ｐと負レンズの材料のアッベ数νｄ１ｎとの差が大きくなると望遠端付近において軸上色収差を消すためには、一般に正レンズの材料の屈折率が小さい硝材になる。このため、レンズコバ厚の確保のため、レンズの肉厚が大きくなり、前玉径も増大化し、小型化が困難になる。
【００５４】
尚、アッベ数νｄ１ｐは
３０＜νｄ１ｐ＜５５      ・・・（７ｘ）
なる条件を満足するのが良い。
【００５５】
条件式（８）は全系を小型、薄型化しつつ、高ズーム比化するために、広角端と望遠端におけるフォーカスレンズ群の横倍率βｆｔ、βｆｗの比を適切に定めたものである。条件式（８）の下限を超えて望遠端におけるフォーカスレンズ群の横倍率βｆｔが広角端における横倍率βｆｗに比べて小さくなると、高ズーム比化しようとするとバックフォーカスの確保のためにレンズ全長が伸びるため、薄型化が困難になる。
【００５６】
条件式（８）の上限を超えて望遠端における横倍率βｆｔが広角端における横倍率βｆｗに比べて大きくなると、フォーカスレンズ群の移動量が大きくなる。このため、沈胴した際にフォーカスレンズ群の移動量が制約になり、薄型化が困難になる。
【００５７】
条件式（９）は全系を小型、薄型化しつつ、高ズーム比化するために、広角端と望遠端における第３レンズ群Ｌ３の横倍率β３ｔ、β３ｗの比を適切に定めたものである。条件式（９）の下限を超えて望遠端における横倍率β３ｔが広角端における横倍率β３ｗに比べて小さくなると、第３レンズ群Ｌ３の変倍分担が小さくなるため、小型化しつつ高変倍比化するのが困難になる。
【００５８】
条件式（９）の上限を超えて望遠端における横倍率β３ｔが広角端における横倍率β３ｗに比べて大きくなると、第３レンズ群Ｌ３の変倍分担が大きくなり、それに伴いズーミングに際しての第３レンズ群Ｌ３の移動量が大きくなる。このため、移動量が制約になり沈胴時の薄型化が困難になる。また、主にズーム中間域においてコマ収差が増大する。
【００５９】
条件式（１０）は全系を小型、薄型化しつつ、高ズーム比化するために、第３レンズ群Ｌ３中の１つの正レンズの最大肉厚をＤ３ｐ、１つの負レンズの最少肉厚をＤ３ｎの肉厚を適切に定めたものである。条件式（１０）の下限を超えて第３レンズ群Ｌ３中の正レンズの最大肉厚Ｄ３ｐが負レンズの最少肉厚Ｄ３ｎに比べて小さくなると、ズーム全域における色収差の補正が困難になる。また、一般に負レンズの肉厚Ｄ３ｎが厚くなり、第３レンズ群Ｌ３の厚みが厚くなり、沈胴時の薄型化が困難になる。
【００６０】
条件式（１０）の上限を超えて第３レンズ群Ｌ３中の正レンズの最大肉厚Ｄ３ｐが負レンズの最少肉厚Ｄ３ｎに比べて大きくなると主にズーム中間域から望遠端においてコマ収差の補正が困難になる。また一般に負レンズの肉厚Ｄ３ｎが薄くなりすぎるため、製造が困難になり、光学性能を良好に維持するための肉厚公差、面精度を満たすことが困難になる。
【００６１】
条件式（１１）は全系を小型、薄型化しつつ、高ズーム比化するために、第１レンズ群Ｌ１を構成する正レンズの焦点距離をｆ１ｐおよび第１レンズ群Ｌ１の焦点距離をｆ１との比を適切に定めたものである。
【００６２】
条件式（１１）の下限を超えて第１レンズ群Ｌ１を構成する正レンズの焦点距離をｆ１ｐが第１レンズ群Ｌ１の焦点距離をｆ１よりも小さくなると正レンズのコバ厚を確保するために、肉厚を厚くしなければならない。この結果、第１レンズ群Ｌ１の厚みおよび有効径が大きくなり、小型化が困難になる。また、主に広角端付近において倍率色収差、望遠端付近において軸上色収差が悪化するため良くない。
【００６３】
条件式（１１）の上限を超えて第１レンズ群Ｌ１を構成する正レンズの焦点距離をｆ１ｐが第１レンズ群Ｌ１の焦点距離をｆ１よりも大きくなると主に望遠端付近において球面収差の補正が困難になり、良くない。また一般に望遠端におけるレンズ全長が伸びるため、小型化が困難になる。
【００６４】
尚、更に収差補正及びズーミングの際の収差変動を小さくしつつレンズ系全体の小型化を図るには、条件式（３）乃至（１１）の数値範囲を次の如く設定するのが好ましい。
１．９０＜Ｎｄ１ｎ＜２．５０          ・・・（３ａ）
１０．０＜νｄ１ｎ＜２０．８          ・・・（４ａ）
１．５５３≦Ｎｄ３ｐ＜２．１０        ・・・（５ａ）
４５．０＜νｄ３ｐ＜７１．８          ・・・（６ａ）
１８．０＜νｄ１ｐ−νｄ１ｎ＜３５．０・・・（７ａ）
０．７５＜βｆｔ／βｆｗ＜１．２０    ・・・（８ａ）
２．２＜β３ｔ／β３ｗ＜５．０        ・・・（９ａ）
２．２＜Ｄ３ｐ／Ｄ３ｎ＜６．０        ・・・（１０ａ）
０．４＜ｆ１ｐ／ｆ１＜０．９          ・・・（１１ａ）
更に好ましくは第２レンズ群Ｌ２は物体側より像側へ順に、負レンズ、負レンズ、正レンズで構成することが良い。
【００６５】
更に好ましくは第３レンズ群Ｌ３は物体側より像側へ順に、正レンズ、負レンズで構成することが良い。各実施例において、正の屈折力の第３レンズ群Ｌ３を光軸に対し垂直方向の成分を持つように移動させて、光軸に対し垂直方向に像を変移させている。これにより光学系（ズームレンズ）全体が振動（傾動）したときの撮影画像のぶれを補正している（防振を行っている）。
【００６６】
各実施例では、可変頂角プリズム等の光学部材や防振のためのレンズ群を新たに付加することなく防振を行うようにし、これによって光学系全体が大型化するのを防止している。
【００６７】
なお、各実施例では第３レンズ群Ｌ３を光軸に対して垂直方向に移動させて防振を行っているが、移動方式は第３レンズ群Ｌ３を光軸に対して垂直方向の成分を持つように移動させれば、画像のぶれを補正することができる。例えば鏡筒構造の複雑化を許容すれば、光軸上に回転中心を持つように第３レンズ群Ｌ３を回動させて防振を行っても良い。また防振を第３レンズ群Ｌ３の一部のレンズで行っても良い。
【００６８】
第１レンズ群Ｌ１の有効レンズ径を小型化し、各レンズ群を沈胴した際にカメラを薄型化するためには、第１レンズ群Ｌ１を薄くするのが良く、このためには第１レンズ群Ｌ１を構成するレンズの数が少ない方が好ましい。このため各実施例において第１レンズ群Ｌ１は物体側から像側へ順に、負レンズと、正レンズの接合レンズにより構成している。
【００６９】
これにより各レンズ群の収納時のズームレンズの厚みを短くし、カメラを薄型化している。さらに第１レンズ群Ｌ１をこのように構成することにより、望遠端付近における色収差を良好に補正している。
【００７０】
第２レンズ群Ｌ２は少なくとも１つの負レンズと１つの正レンズを有する。具体的には第１乃至４，６の実施例においては第２レンズ群Ｌ２を物体側から順に負レンズ、負レンズ、正レンズの独立した３つのレンズにより構成している。実施例５においては第２レンズ群Ｌ２を物体側から順に負レンズ、正レンズの独立した２つのレンズにより構成している。
【００７１】
第３レンズ群Ｌ３は１つの正レンズと１つの負レンズを有している。具体的には第１乃至３、５，６の実施例においては第３レンズ群Ｌ３を物体側から像側へ順に、正レンズ、メニスカス形状の負レンズにより構成している。これにより主に、防振時およびズーミングに伴う中間のズーム位置におけるコマ収差を良好に補正している。
【００７２】
実施例４の実施例においては第３レンズ群Ｌ３を物体側から像側へ順に、正レンズ、正レンズとメニスカス形状の負レンズとの接合レンズにより構成している。第３レンズ群Ｌ３は１以上の非球面を有している。これによって主にズーミングに伴う球面収差変動を良好に補正している。
【００７３】
実施例１乃至５においては第４レンズ群Ｌ４を１つの正レンズで構成している。実施例６においては第４レンズ群Ｌ４を１つの負レンズ、第５レンズ群Ｌ５を１つの正レンズで構成している。これにより、沈胴した際の薄型化および簡素化を図っている。
【００７４】
各実施例によれば以上の如く構成することにより、光学系全体が小型で、沈胴した際にカメラが薄型化し、広画角かつ高ズーム比で、しかも全ズーム範囲にわたり高い光学性能を有したズームレンズが得られる。
【００７５】
次に、本発明の実施例１〜６に各々対応する数値実施例１〜６を示す。各数値実施例においてｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。
【００７６】
またｋを離心率Ａ４、Ａ６、Ａ８、Ａ１０を非球面係数、光軸からの高さｈの位置での光軸方向の変位を面頂点を基準にしてｘとするとき、非球面形状は、
ｘ＝（ｈ２／Ｒ）／［１＋［１−（１＋ｋ）（ｈ／Ｒ）２］１／２］＋Ａ４ｈ４＋Ａ６ｈ６＋Ａ８ｈ８＋Ａ１０ｈ１０
で表示される。但しＲは近軸曲率半径である。また例えば「Ｅ−Ｚ」の表示は「１０−Ｚ」を意味する。数値実施例において最後の２つの面は、フィルター、フェースプレート等の光学ブロックの面である。
【００７７】
実施例１乃至４、６におけるｄ１０、実施例５におけるｄ８の値が負になっているのは物体側から像側へ絞りＳＰ（ＳＰａ）、第３レンズ群Ｌ３の物体側のレンズＧ３１と数えたためである。実施例６において第１６面（ｒ１６）は設計上用いたダミー面であり、レンズを構成するものではない。
【００７８】
各実施例において、画角は半画角（度）の値を示している。バックフォーカス（ＢＦ）はレンズ最終面から近軸像面までの距離を空気換算長により表したものである。レンズ全長は最も物体側の面から最終レンズ面までの距離にバックフォーカスを加えたものである。また、各数値実施例における上述した条件式との対応を表１に示す。
【００７９】
［数値実施例１］
単位 mm
面データ
面番号       r        d      nd         νd
1         15.849    0.50   1.95906    17.5           
2         11.331    2.40   1.88300    40.8           
3         76.277  (可変)                             
4        104.702    0.40   1.88300    40.8           
5          5.139    2.50                             
6        -13.411    0.40   1.77250    49.6           
7         51.374    0.10                             
8         12.872    1.10   1.95906    17.5           
9        115.965  (可変)                             
10(絞り)    ∞      -0.40                             
11*         4.548    1.55   1.76802    49.2           
12*       -38.972    0.20                             
13(絞り)    ∞       0.00                             
14          5.907    0.40   1.92286    18.9           
15          3.299    1.00                             
16          ∞     (可変)                   (フレアーカット絞り) 
17         10.381    1.75   1.60311    60.6           
18         76.104  (可変)                             
19          ∞       1.00   1.51633    64.1           
20          ∞       1.0                            
像面        ∞   
非球面データ
第11面
K =-7.30686e-001  A 4=-1.41734e-004  A 6=-2.78678e-005  A 8=-1.53266e-006  
第12面
K =-2.51101e+000  A 4= 2.11418e-004  A 6=-5.24388e-005  
各種データ
ズーム比      7.53 
焦点距離       5.15    13.89    38.80     7.29    30.65  
Fナンバー      3.24     4.14     7.00     3.57     6.06  
画角          32.91    15.44     5.70    26.49     7.21  
像高           3.33     3.84     3.88     3.63     3.88  
レンズ全長    34.89    37.04    48.54    33.94    45.11  
BF             4.54     7.03     4.08     5.75     4.16  
d 3            0.35     5.48     8.53     1.59     8.23  
d 9           12.34     4.42     0.70     8.45     1.73  
d16            5.75     8.21    23.34     6.24    19.10  
d18            2.88     5.37     2.42     4.09     2.51  
ズームレンズ群データ
群  始面    焦点距離  
1    1      23.09  
2    4      -5.94  
3   10       9.68  
4   17      19.73  
5   19       ∞    
【００８０】
［数値実施例２］
単位 mm
面データ
面番号       r        d      nd         νd
1         28.042    0.50   1.95906    17.5           
2         18.220    2.25   1.88300    40.8           
3       -939.842  (可変)                             
4       -104.934    0.40   1.88300    40.8           
5          6.209    2.10                             
6        -13.225    0.40   1.88300    40.8           
7       -248.387    0.10                             
8         16.949    1.20   1.95906    17.5           
9        -72.219  (可変)                             
10(絞り)     ∞      -0.40                             
11*         4.606    1.58   1.76802    49.2           
12*       -90.883    0.20                             
13(絞り)    ∞       0.00                             
14          5.400    0.45   1.95906    17.5           
15          3.241    1.00                             
16          ∞     (可変)                   (フレアーカット絞り) 
17*        10.191    1.80   1.58313    59.4           
18         45.715  (可変)                             
19          ∞       1.00   1.51633    64.1           
20          ∞       1.0                           
像面        ∞   
非球面データ
第11面
K =-4.67580e-001  A 4=-4.10547e-004  A 6=-2.45809e-005  A 8=-2.88449e-006  
第12面
K = 5.51109e+000  A 4= 8.06241e-005  A 6=-5.24388e-005  
第17面
K =-2.73940e+000  A 4= 2.05539e-004  A 6= 1.83181e-006  A 8=-6.77982e-008  
各種データ
ズーム比      7.52 
焦点距離       5.16     9.78    38.80     7.79    20.01    31.37    14.10
Fナンバー      3.49     4.09     7.00     3.88     5.11     6.37     4.50
画角          32.87    20.95     5.70    24.99    10.96     7.04    15.13
像高           3.33     3.74     3.88     3.63     3.88     3.88     3.81
レンズ全長    35.79    36.39    51.58    35.22    43.38    48.84    39.49
BF             4.43     6.46     5.20     5.80     6.49     5.23     6.95
d 3            0.35     4.92    13.52     2.93    10.63    12.66     8.14
d 9           13.67     6.83     0.20     8.69     3.03     1.21     4.61
d16            5.75     6.59    21.08     6.21    11.66    18.16     8.21
d18            2.77     4.80     3.54     4.15     4.83     3.57     5.29
ズームレンズ群データ
群  始面    焦点距離  
1    1      32.30  
2    4      -7.38  
3   10      10.10  
4   17      22.08  
5   19       ∞    
【００８１】
［数値実施例３］
単位 mm
面データ
面番号       r        d      nd         νd
1         16.619    0.50   2.00170    20.6           
2         11.022    2.40   1.88300    40.8           
3        112.230  (可変)                             
4        115.971    0.40   1.88300    40.8           
5          5.180    2.50                             
6        -13.000    0.40   1.77250    49.6           
7        102.672    0.10                             
8         13.306    1.10   1.95906    17.5           
9         91.334  (可変)                             
10(絞り)    ∞      -0.40                             
11*         3.927    1.55   1.55332    71.7           
12*       -24.688    0.20                             
13(絞り)    ∞       0.00                             
14          4.106    0.40   2.00170    20.6           
15          2.927    1.00                             
16          ∞     (可変)                   (フレアーカット絞り) 
17         11.917    1.75   1.60311    60.6           
18         34.456  (可変)                             
19          ∞       1.00   1.51633    64.1           
20          ∞       1.0                             
像面        ∞   
非球面データ
第11面
K =-8.22170e-001  A 4= 3.44309e-004  A 6=-2.34187e-005  A 8=-1.39388e-006  
第12面
K = 4.08303e+000  A 4= 5.15933e-004  A 6=-5.24388e-005  
各種データ
ズーム比      7.56 
焦点距離       5.14    14.51    38.80     7.49    31.73    36.51    16.56
Fナンバー      3.19     4.24     7.00     3.57     6.34     6.86     4.42
画角          32.98    14.46     5.70    25.86     6.96     6.06    12.97
像高           3.33     3.74     3.88     3.63     3.88     3.88     3.81
レンズ全長    36.02    37.92    48.66    34.96    45.54    47.64    38.95
BF             4.54     7.22     4.08     5.85     2.72     3.29     7.01
d 3            0.35     5.54     8.28     1.73     7.96     8.12     6.24
d 9           13.47     4.96     0.91     9.23     2.06     1.31     4.37
d16            5.75     8.30    23.48     6.26    20.90    23.01     9.42
d18            2.88     5.56     2.42     4.19     1.06     1.63     5.35
ズームレンズ群データ
群  始面    焦点距離  
1    1      23.58  
2    4      -6.01  
3   10       9.65  
4   17      29.35  
5   19       ∞    
【００８２】
［数値実施例４］
単位 mm
面データ
面番号       r        d      nd         νd
1         17.026    0.60   1.95906    17.5           
2         12.614    3.60   1.83481    42.7           
3         70.767  (可変)                             
4         56.641    0.50   1.85135    40.1           
5*         4.804    3.10                             
6        -17.563    0.40   1.88300    40.8           
7         28.246    0.10                             
8         12.527    1.35   1.95906    17.5           
9        171.495  (可変)                             
10(絞り)    ∞      -0.40                             
11*         5.473    1.75   1.67790    54.9           
12*       -20.905    0.10                             
13(絞り)    ∞       0.00                             
14          4.154    0.70   1.48749    70.2           
15          7.047    0.40   1.84666    23.9           
16          3.166 1.00  
17          ∞     (可変)                  (フレアーカット絞り)
18          9.707    1.70   1.48749    70.2           
19        447.932  (可変)                             
20          ∞       1.00   1.51633    64.1           
21          ∞       1.0                             
像面        ∞   
非球面データ
第5面
K =-4.35183e-002  A 4=-4.40142e-005  A 6= 5.03252e-006  A 8=-3.49994e-007  
第11面
K = 9.09382e-002  A 4=-9.92836e-004  A 6=-1.65820e-005  A 8=-4.67887e-006  
第12面
K = 3.86664e+001  A 4= 5.00792e-004  
各種データ
ズーム比      9.55 
焦点距離       4.43    16.24    42.28     6.90    26.24    32.35    14.11
Fナンバー      2.87     4.27     7.46     3.34     5.32     6.16     4.09
画角          36.98    12.98     5.24    28.32     8.40     6.83    15.12
像高           3.33     3.74     3.88     3.72     3.88     3.88     3.81
レンズ全長    37.19    41.57    55.25    36.35    47.53    50.63    40.24
BF             3.77     7.12     3.99     4.76     6.07     4.89     6.95
d 3            0.30     7.24    10.13     1.99     9.39     9.79     6.39
d 9           13.48     3.44     0.80     8.69     1.96     1.50     4.05
d17            4.74     8.86    25.44     6.01    15.21    19.55     7.95
d19            2.11     5.46     2.33     3.10     4.41     3.23     5.29
ズームレンズ群データ
群  始面    焦点距離  
1    1      27.67  
2    4      -5.75  
3   10       9.11  
4   18      20.33  
5   20       ∞ 
【００８３】
［数値実施例５］
単位 mm
面データ
面番号       r        d      nd         νd
1         17.175    0.60   1.92286    18.9           
2         12.839    2.45   1.77250    49.6           
3         79.705  (可変)                             
4       -219.342    0.50   1.98852    52.5           
5*         5.053    1.68                             
6*         8.465    1.38   2.00178    19.3           
7*        13.487  (可変)                             
8(絞り)    ∞      -0.40                             
9*         4.873    1.58   1.76802    49.2           
10*       -67.554    0.20                             
11(絞り)    ∞       0.00                             
12          5.568    0.45   1.92286    18.9           
13          3.390    1.00                             
14          ∞     (可変)                   (フレアーカット絞り) 
15*         9.485    1.72   1.58313    59.4           
16         36.724  (可変)                             
17          ∞       1.00   1.51633    64.1           
18          ∞       1.0                             
像面        ∞   
非球面データ
第5面
K =-3.38770e-001  A 4=-4.42797e-005  A 6= 3.05911e-006  A 8=-1.56916e-008  
第6面
K = 9.08978e-001  A 4=-5.83938e-004  
第7面
K = 2.19435e+000  A 4=-6.35313e-004  A 6= 1.14956e-006  A 8=-4.42220e-008  
第9面
K =-3.84049e-001  A 4=-4.10059e-004  A 6=-3.79913e-005  A 8=-1.87872e-006  
第10面
K =-2.14859e+002  A 4= 3.23872e-005  A 6=-5.24388e-005  
第15面
K =-9.82655e-001  A 4= 6.41585e-005  A 6= 2.49422e-006  A 8=-1.99592e-008  
各種データ
ズーム比      8.41 
焦点距離       5.12    11.06    43.10     8.51    33.06    36.51    14.55
Fナンバー      3.00     3.61     6.21     3.41     5.33     5.66     3.84
画角          33.04    18.71     5.14    23.12     6.68     6.06    14.68
像高           3.33     3.74     3.88     3.63     3.88     3.88     3.81
レンズ全長    36.67    37.49    51.58    36.26    48.11    49.30    39.45
BF             4.53     6.84     4.47     6.04     5.01     4.59     7.33
d 3            0.40     5.51    12.70     3.41    12.16    12.37     7.74
d 7           14.83     7.11     1.01     9.12     2.17     1.79     5.46
d14            5.75     6.87    22.24     6.52    17.61    19.39     7.76
d16            2.87     5.18     2.81     4.39     3.35     2.93     5.67
ズームレンズ群データ
群  始面    焦点距離  
1    1      30.07  
2    4      -6.97  
3    8      10.12  
4   15      21.43  
5   17       ∞    
【００８４】
［数値実施例６］
単位 mm
面データ
面番号       r        d      nd         νd
1         18.060    0.50   1.95906    17.5           
2         12.975    2.35   1.88300    40.8           
3        120.887  (可変)                             
4        306.722    0.40   1.88300    40.8           
5          5.309    2.40                             
6        -12.543    0.40   1.88300    40.8           
7       5104.418    0.10                             
8         14.646    1.20   1.95906    17.5           
9       7265.468  (可変)                             
10(絞り)    ∞      -0.40                             
11*         5.014    1.58   1.76802    49.2           
12*       -37.378    0.20                             
13(絞り)    ∞       0.00                             
14          5.466    0.45   1.95906    17.5           
15          3.426    1.00                             
16          ∞       0.00                             
17          ∞     (可変)                   (フレアーカット絞り) 
18        -36.020    0.50   1.53172    48.8           
19        128.808  (可変)                             
20*         9.048    2.50   1.58313    59.4           
21       -324.687  (可変)                             
22          ∞       1.00   1.51633    64.1           
23          ∞       1.0                             
像面        ∞   
非球面データ
第11面
K =-3.88939e-001  A 4=-5.30085e-004  A 6=-2.31130e-005  A 8=-4.34309e-006  
第12面
K = 1.00426e+002  A 4= 3.92419e-004  A 6=-5.24388e-005  
第20面
K =-7.07680e-001  A 4=-7.40386e-006  A 6= 1.37239e-006  A 8=-1.81904e-008  
各種データ
ズーム比      7.54 
焦点距離       5.14    10.78    38.80     8.43    22.12    32.73    15.78
Fナンバー      3.50     4.13     7.00     3.94     5.11     6.42     4.51
画角          32.94    19.15     5.70    23.30     9.94     6.75    13.59
像高           3.33     3.74     3.88     3.63     3.88     3.88     3.81
レンズ全長    36.97    37.37    50.88    36.29    43.80    48.58    40.25
BF             3.17     5.92     5.20     5.04     6.04     5.03     6.54
d 3            0.35     4.22     9.65     2.59     8.42     9.32     6.74
d 9           13.27     5.99     0.67     7.77     2.82     1.49     4.03
d17            5.15     6.29    13.69     6.00     8.09    11.17     6.92
d19            1.84     1.78     8.48     1.72     5.25     8.39     2.84
d21            1.51     4.26     3.54     3.38     4.38     3.37     4.88
ズームレンズ群データ
群  始面    焦点距離  
1    1      24.66  
2    4      -6.05  
3   10       9.56  
4   18     -52.88  
5   20      15.14  
6   22       ∞    
【００８５】
【表１】
0005773796.tif 000002
次に各実施例に示したようなズームレンズを撮影光学系として用いたデジタルスチルカメラの実施形態を図１３を用いて説明する。
【００８６】
図１３において、２０はカメラ本体、２１は実施例１〜６で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダである。
【００８７】
このように本発明のズームレンズをデジタルスチルカメラ等の撮像装置に適用することにより、小型で高い光学性能を有する撮像装置が実現できる。
【符号の説明】
【００８８】
Ｌ１  第１レンズ群      Ｌ２  第２レンズ群      Ｌ３  第３レンズ群
Ｌ４  第４レンズ群      Ｌ５  第５レンズ群
【図１】
0005773796.tif 000003
【図２】
0005773796.tif 000004
【図３】
0005773796.tif 000005
【図４】
0005773796.tif 000006
【図５】
0005773796.tif 000007
【図６】
0005773796.tif 000008
【図７】
0005773796.tif 000009
【図８】
0005773796.tif 000010
【図９】
0005773796.tif 000011
【図１０】
0005773796.tif 000012
【図１１】
0005773796.tif 000013
【図１２】
0005773796.tif 000014
【図１３】
0005773796.tif 000015